(57)【要約】  本発明は、デバイス本体（２０１）と、少なくとも１つの第１の医療流体（５）、特に血液を保持するための少なくとも１つの流体保持チャンバ（１）と、少なくとも１つの第２の気体流体（１９）、特に空気が流体保持チャンバ（１）に送り込まれ得る濾過表面を有する少なくとも１つの疎水性の濾過デバイス（１００）とを備える医療デバイス、特に血液カセット（２００）に関し、ここにおいて、濾過デバイス（１００）は少なくとも１つの濾過膜（９）を有し、ここにおいて、濾過膜（９）は裏側（９ａ）と前側（９ｂ）とを有し、ここにおいて、濾過膜（９）は、溶接部分（２０３）に沿って、流体保持チャンバ（１）に、流体保持チャンバ（１）の壁に、またはカセット本体（２０１）の別の部分に、濾過膜（９）の裏側（９ａ）によって溶接され、ここにおいて、濾過デバイス（１００）は、前側（９ｂ）上に前支持構造（２７）を有し、その前支持構造は、濾過膜（９）を支持するように配置され、ここにおいて、前支持構造（２７）は、前支持構造（２７）の第１の接触部分（２７ａ）によって溶接シーム部分（２０３）と接触しているように配置される。
2019519283.tif 000002
【特許請求の範囲】
【請求項１】
−  第１の医療流体（５）、特に血液のための流体システムと、
−  デバイス本体（２０１）と、
−  少なくとも第２の気体流体（１９）、特に空気が前記流体システムに供給され得る濾過表面をもつ少なくとも１つの疎水性の濾過デバイスとを有し、
ここにおいて、前記濾過デバイスが少なくとも１つの濾過膜（９）を備え、
ここにおいて、前記濾過膜（９）が後側（９ａ）と前側（９ｂ）とを有し、
ここにおいて、前記濾過膜（９）の前記後側（９ａ）が、溶接部分（２０３）に沿って前記デバイス本体（２０１）の部分に溶接され、
ここにおいて、前記濾過デバイスが、前記濾過膜（９）の前記前側（９ｂ）において前支持構造（２７）を備える、
医療デバイス（２００）であって、
前記前支持構造（２７）が、前記前支持構造（２７）の第１の接触部分（２７ａ）を通して前記溶接部分（２０３）に接触するように配置されること
を特徴とする、医療デバイス（２００）。
【請求項２】
前記前支持構造（２７）が第２の接触部分（２７ｄ）を備え、ここにおいて、前記前支持構造（２７）が、第２の接触部分（２７ｄ）を通して前記デバイス本体（２０１）の支持部分（２０４）に接触するように配置される、請求項１に記載のデバイス。
【請求項３】
前記第２の接触部分（２７ｄ）が、前記デバイス本体（２０１）の前記支持部分（２０４）に溶接される、請求項１または２に記載のデバイス
【請求項４】
前記溶接部分（２０３）および／または前記第１の接触部分（２７ａ）が、円周または閉じられた部分である、請求項３に記載のデバイス。
【請求項５】
前記第２の接触部分（２７ｄ）が、前記デバイス本体（２０１）の前記支持部分（２０４）で締め付けられる、請求項３または４に記載のデバイス。
【請求項６】
前記前支持構造（２７）の前記第１の接触部分（２７ａ）が、前記前支持構造（２７）の他の部分またはすべての他の部分よりも柔らかい材料から作られる、請求項１から５のいずれか一項に記載のデバイス。
【請求項７】
前記前支持構造（２７）が、正確に１つのみの材料から作られる、またはそれからなる、またはそれである、請求項１から６のいずれか一項に記載のデバイス。
【請求項８】
前記前支持構造（２７）の前記第１の接触部分（２７ａ）が、前記デバイス本体（２０１）の前記溶接部分（２０３）に接触する、請求項１から７のいずれか一項に記載のデバイス。
【請求項９】
前記前支持構造（２７）の前記第１の接触部分（２７ａ）が、少なくとも１つの方向（Ｉ）において、または前記溶接部分（２０３）の一方の側において、前記デバイス本体（２０１）の前記溶接部分（２０３）を越えて突出または延長する、請求項１から８のいずれか一項に記載のデバイス。
【請求項１０】
前記前支持構造（２７）の前記第１の接触部分（２７ａ）が、解放可能な様式で前記前支持構造（２７）のさらなる部分に接続される、請求項１から９のいずれか一項に記載のデバイス。
【請求項１１】
前記前支持構造（２７）の前記第１の接触部分（２７ａ）が、前記前支持構造（２７）のさらなる部分とは色が異なる、請求項１から１０のいずれか一項に記載のデバイス。
【請求項１２】
前記前支持構造（２７）が、直径または幅が、最大０．７ｍｍであり、好ましくは最大０．５ｍｍである開口（２８）を備える、請求項１から１１のいずれか一項に記載のデバイス。
【請求項１３】
前記前支持構造（２７）が、第２の濾過膜（１０）である、またはそれを備える、請求項１から１２のいずれか一項に記載のデバイス。
【請求項１４】
前記医療デバイス（２００）が血液カセットである、請求項１から１３のいずれか一項に記載のデバイス。
【請求項１５】
前記前支持構造（２７）の前記第１の接触部分（２７ａ）が、前記デバイスの製造中に材料を溶融もしくは一時的液化することによって作られるまたは形成される部分である、またはそれを備える、請求項１から１４のいずれか一項に記載のデバイス。
【請求項１６】
−  第１の流体（５）のための流体システムをもつ医療デバイス（２００）のデバイス本体（２０１）を設けるステップと、
−  第２の気体流体（１９）、特に空気が供給され得る濾過表面をもつ濾過デバイスを設けるステップと、ここにおいて、前記濾過デバイスが少なくとも１つの濾過膜（９）を備え、ここにおいて、前記濾過膜（９）が後側（９ａ）と前側（９ｂ）とを有し、ここにおいて、前記濾過膜（９）の前記後側（９ａ）が、溶接部分（２０３）に沿って前記デバイス本体（２０１）の部分に溶接される、
−  前支持構造（２７）を設けるステップと
を包含する、医療デバイス（２００）を製造するための方法であって、
−  それが、前記前支持構造（２７）の第１の接触部分（２７ａ）を通して前記溶接部分（２０３）に接触するように、前記前支持構造（２７）を前記濾過膜（９）の前記前側（９ｂ）上で前記デバイス本体（２０１）上にまたはそれにおいて配置するステップと、
−  前記前支持構造（２７）を前記濾過膜（９）の前記前側（９ｂ）と溶接するステップと
を特徴とする、方法。
【発明の詳細な説明】
【技術分野】
【０００１】
本発明は、請求項１のプリアンブルによる医療デバイスに関する。本発明は、さらに、請求項１６のプリアンブルによる、医療デバイスのための製造方法に関する。
【背景技術】
【０００２】
血液処置のために使用されるために、知られている血液処置装置が、血液がその中で処置されるかまたは一時的に保管される、医療デバイスに、たとえば血液カセットに接続される。そのような血液カセットは、ＤＥ１０  ２００９  ０１８  ６６４  Ａ１から知られる。
【発明の概要】
【０００３】
本発明の目的は、さらなる医療デバイスを規定することである。さらに、そのようなデバイスのための製造方法が規定されることになる。
【０００４】
この目的は、請求項１の特徴を有する医療デバイスと、請求項１６の特徴を有する方法とによって達成され得る。
【０００５】
したがって、デバイス本体（body）（またはデバイス体（corpus））を有する医療デバイスが本発明によって提案される。
【０００６】
デバイス本体、または医療デバイスの別の部分は、少なくとも、第１の医療流体、特に血液のための流体システムを備える。流体システムは、部分的にまたは完全にデバイス本体であり得る。デバイス本体は、流体システムの一部である、または流体システムを形成または確立することに寄与し得る。流体システムは、各々、１つまたは複数のチャネル、ラインおよび／または流体チャンバを備え得る。
【０００７】
デバイス本体、または医療デバイスの別の部分は、少なくとも１つの、好ましくは疎水性の、濾過デバイスをさらに備える。濾過デバイスは、第２の気体流体、特に空気が、濾過表面を通して流体システムに供給され得るように、構成および配置される。
【０００８】
濾過デバイスは少なくとも１つの濾過膜を備える。濾過膜は後側と前側とを備える。
【０００９】
後側は、流体システムの随意の流体受容チャンバまたは医療デバイスの随意のカバー要素（たとえば、フィルム）から離れるほうに面する、濾過膜の側であり得る。
【００１０】
後側は、本発明によるデバイスの意図された使用中に、液体がその上に存在しない、濾過膜の側であり得る。
【００１１】
前側は、流体システムの随意の流体受容チャンバまたは医療デバイスの随意のカバー要素（たとえば、フィルム）のほうに面する、濾過膜の側であり得る。
【００１２】
前側は、本発明によるデバイスの意図された使用中に、液体がその上にあるかまたは液体に面する、濾過膜の側であり得る。
【００１３】
濾過膜は、直接または間接的に、濾過膜の後側を介して、または濾過膜の後側上でもしくはそれにおいて、デバイス本体と、たとえば、随意の流体受容チャンバ、またはそれの壁と溶接される。したがって、溶接部分または溶接接続部が確立される。
【００１４】
濾過デバイスは、濾過膜の前側上にまたは濾過膜の前に配置された、支持構造を備える、またはそれによって制限される。支持構造は、濾過膜の前側上に配設される、前側の前に配設される、または前側に面するので、支持構造は、本明細書では、前（代替：前側）支持構造とも呼ばれる。
【００１５】
前支持構造は、好ましくは、濾過膜を支持するために配置される、または、それは、ある使用法または使用状況において、この目的を果たし得る。支持することは、制限、保持すること、接触すること、接することなどであり得る。支持することは、濾過膜の後側上に圧力を付加したときのまたは付加することによる、濾過膜の許容されない（unallowed）反りまたは座屈を防ぐことであり得る。
【００１６】
反りは、濾過膜に関して発生されたかまたは出現した、圧力低下により出現し得る。これは、濾過膜の前側上の圧力の減少を通してまたは後側上の圧力の増加を通して達成され得る。濾過要素は、過剰圧力がポンプによって発生可能（generatable）である、一連の血液処置装置との接続のための接続要素を備え得る。このポンプは、圧縮機または過剰圧力リザーバであり得る。前記ポンプによって、濾過膜に接触する液体チャンバ中の液体レベルが下げられ得る。
【００１７】
「前」の使用は、「後」支持構造がなければならないことを暗示しないが、このことは、いくつかの例示的な実施形態では当てはまり得る。
【００１８】
前支持構造は、第１の接触部分を備え、溶接部分を用いてまたはそれを通して第１の接触部分に接触する。
【００１９】
医療デバイス、特に、本発明による医療デバイスを製造するための方法が、本発明によってさらに提案される。
【００２０】
本発明による本方法は、医療デバイス、特に、本発明によるデバイスを製造することを提供する。本方法は、第１の流体のための流体システムを有する医療デバイスのデバイス本体を設けることを包含する。
【００２１】
本方法は、第２の気体流体、特に空気がそれを通して供給され得る濾過表面を有する濾過デバイスを準備することをさらに包含する。濾過デバイスは少なくとも１つの濾過膜を備え、ここにおいて、濾過膜は後側と前側とを有し、ここにおいて、濾過膜は、溶接部分に沿って、濾過膜の後側においてデバイス本体の部分と溶接される。
【００２２】
さらに、本方法は、支持構造または前支持部分を準備することを包含する。
【００２３】
前支持構造は、本発明によれば、デバイス本体においてまたはそれ上で濾過膜の前側上に配置される。これは、前支持構造が、前支持構造の第１の接触部分を通して溶接部分に接触するように行われる。
【００２４】
最終的に、前支持構造は濾過膜の前側に溶接される。溶接は、前支持構造の材料を柔らかくすることによって達成され得る。
【００２５】
本明細書の実施形態のすべてにおいて、「〜であり得る（may be）」または「〜を有し得る（may have）」などの表現の使用は、それぞれ、「好ましくは〜である（preferably is）」または「好ましくは〜を有する（preferably has）」などと同義的に理解されるべきであり、本発明による例示的な実施形態を示すものとする。
【００２６】
本発明による実施形態は、上述のまたは以下の特徴のうちの１つまたは複数を備え得る。したがって、本明細書で言及される特徴は、いかなる任意の組合せにおいても、当業者がそれらの組合せを技術的に不可能と認識しない限り、本発明による実施形態の主題であり得る。本発明による実施形態は、従属請求項の主題でもある。
【００２７】
本明細書で数を表す語が述べられるときはいつでも、当業者は、それらの語を数の下限の指示として認識または理解されたい。それが当業者を明白な矛盾に導かない限り、当業者は、たとえば、「１つ」という指定が「少なくとも１つ」を包含するものと理解されたい。この理解はまた、当業者にとってこれが明白に技術的に可能であればいつでも、数を表す語、たとえば「１つ」は「正確に１つ」を代替的に意味し得るという解釈と同等に、本発明によって包含される。両方が本発明によって包含され、本明細書において、すべての使用される数を表す語に当てはまる。
【００２８】
「上部」および「下部」という情報は、本明細書では、不確かな場合は、それぞれの構成要素の、意図された使用中のそれの配置を指す、絶対または相対空間情報として当業者によって理解されるべきである。
【００２９】
「前」および「後」などという情報は、本明細書では、不確かな場合は、医療デバイスを指す絶対または相対空間情報として当業者によって理解されるべきである。医療デバイスがカバー要素を備える場合、カバー要素は、したがって、医療デバイスの前側上に配設される。
【００３０】
「接触」は、本明細書では、たとえば、それぞれ、接すること、正でない接続、正のもしくは適合する接続、（たとえば、一方を他方に溶接することによる）接着結合もしくは接続、または関連する構成要素もしくは互いに「接触する」構成要素間の相互押圧として理解され得る。
【００３１】
本発明によるいくつかの例示的な実施形態では、本発明による医療デバイスは、それぞれ、管システム、管セット、血液カセット、または各々の一部である。
【００３２】
現在使用されている「流体受容チャンバ」という表現は、たとえば、流体で完全にまたは部分的に充填されることおよび流体を受容することに適しており、それの使用目的に従って、それらのことを意図された、内部または内空間を有する、チャンバ、もしくはそれの一部、または容器、もしくはそれの一部を指定する。
【００３３】
本発明によるいくつかの例示的な実施形態では、流体受容チャンバは、正確に２つの流体入口または流体出口を備える。２つのうちの一方は、気体を、好ましくは、液体をもではなく気体のみを、濾過膜を通して導き、供給および／または抽出することを受け持つ。他方は、たとえば第１の流体からの液体を供給および／または抽出するための流体接続である。
【００３４】
本発明の意味内の「第１の流体」は、本発明による受容デバイス中への導入を想定または意図された、任意の医療液体および／または任意の医療気体及びそれらの任意の組合せを含む。好ましくは、第１の流体は血液である。
【００３５】
したがって、「第１の流体」という表現は、「医療流体」という表現と同義的に使用されるものとする。
【００３６】
「第２の流体」は、気体流体である、または気体、好ましくは空気を備える。
【００３７】
本明細書で同義的に使用される「濾過デバイス」または「疎水性の濾過デバイス」という表現は、たとえば、流体受容チャンバを通して伝導されるべきである流体に対して濾過効果を加えるように適応および意図されたデバイスを指定する。代替的に、本発明の意味内の濾過デバイスは、濾過効果を有しない膜を指定する。
【００３８】
濾過効果は、たとえば、流体受容チャンバ中に送り込まれるかまたは供給される流体の精製、特に、たとえば、固形物、ウイルスまたは細菌などの微生物などを維持することを包含し得る。
【００３９】
濾過効果は、濾過器が、気体については透過性であるが、液体、特に水または血液については透過性でないことをも包含し得る。それにより、濾過膜を越えたエリアに液体が浸透するのを防ぐことが可能である。たとえば、濾過膜によって制限された流体チャンバが、開口を通して機械に接続されたとすると、液体が濾過膜のほうへ浸透する場合、機械の汚染が防がれ得る。
【００４０】
本発明によるいくつかの例示的な実施形態では、前支持構造は第２の接触部分を備える。それにより、前支持構造は、第２の接触部分によってデバイス本体の支持部分に接触するように配置されるか、または接触する。
【００４１】
本発明によるいくつかの例示的な実施形態では、第２の接触部分は、デバイス本体の支持部分に溶接される。
【００４２】
本発明によるいくつかの例示的な実施形態では、第２の接触部分は、デバイス本体の支持部分に接着される。
【００４３】
本発明によるいくつかの例示的な実施形態では、溶接部分および／または第１の接触部分は、円周もしくは閉じられた部分またはリング領域である。
【００４４】
本発明によるいくつかの例示的な実施形態では、第２の接触部分は、デバイス本体の支持部分で締め付けられる。
【００４５】
これのために、締付けデバイスが設けられ得る。
【００４６】
締付けデバイスは、フランジングもしくはクリンチフランジとして構成され得る、またはフランジングもしくはクリンチフランジを備え得る。
【００４７】
締付けデバイスは、円周もしくは閉じられたフランジング部分またはクリンチフランジ部分であり得る。
【００４８】
本発明によるいくつかの例示的な実施形態では、前支持構造の第１の接触部分は、前支持構造の他の部分もしくはすべての他の部分よりも柔らかい材料から作られる、またはそれらの部分よりも柔らかい材料を備える。
【００４９】
シリコーンは、（他の部分に対して）「より柔らかい」材料として考慮に入れられるまたは考えられる。シリコーンは比較的費用がかかるので、たとえば、第１の接触部分のみをシリコーンから製造することが考えられ得る。シリコーンの特殊な特性が必要とされない、または不利でさえあり得る（たとえば、シリコーンから作られた構成要素の高い可撓性が支持のアイデアに反するまたはそれと矛盾する）、前支持構造の他の部分について、シリコーンと比較して、または第１の接触部分の材料と比較して、より堅い（stiff）またはより硬い（hard）材料が、選択または選定され得る。
【００５０】
本発明によるいくつかの例示的な実施形態では、前支持構造の第１の接触部分は、より柔らかい材料から恒久的に作られ、他のものでは、そのような材料は、たとえば、（例として、溶接を通して）製造するまたは仕上げるときに、一時的にのみより柔らかくなり、随意に、そのような材料は、再びより硬くなる。
【００５１】
本発明によるいくつかの例示的な実施形態では、前支持構造は、正確に１つの材料から作られる、または正確に１つの材料からなる。
【００５２】
本発明によるいくつかの例示的な実施形態では、前支持構造の第１の接触部分は、デバイス本体の溶接シーム部分と、好ましくは直接、接触している。溶接シーム部分が第１の接触部分とのみ接触していることが好ましい。
【００５３】
本発明によるいくつかの例示的な実施形態では、前支持構造の第１の接触部分は、少なくとも１つの方向において、または少なくとも溶接部分の一方の側において、デバイス本体の溶接部分の上方にまたはそれを越えて突き出るか、または、それは、溶接部分を超えて延長または存在（stand）する。方向は、前支持構造または濾過膜の主延長方向に対して平行であり得る。突出または延長は、濾過膜または前支持構造の内部もしくは中心部分に向かうこと、および／または、使用中に、加圧されるもしくは圧力を最大限にかけられる、濾過膜のエリアのうちの１つに向かうことが好ましい。
【００５４】
本発明によるいくつかの例示的な実施形態では、前支持構造の第１の接触部分は、解放可能な様式で前支持構造の他の部分に接続される。接続は、挿入することによってまたは挿入物によって達成され得る。
【００５５】
本発明によるいくつかの例示的な実施形態では、前支持構造は、平坦なもしくは平面のグリッドである、またはそれからなる。
【００５６】
本発明によるいくつかの例示的な実施形態では、前支持構造は開口を備える。
【００５７】
本発明によるいくつかの例示的な実施形態では、前支持構造の第１の接触部分は、前支持構造のさらなる部分とは色が異なる。
【００５８】
したがって、第１の接触部分は、たとえば、青、または別の比較的より暗いトーンを有し得るが、前支持構造は、グレーまたは白または透明である。このようにして、医療デバイスを製造する従業員、または病棟において患者を処置するために後の時点において医療デバイスを使用することを担当する医師もしくはスタッフは、デバイス本体とは通常別に製造される前支持構造が、デバイス本体に実際挿入されたかどうかを一目で検査することができる。これは、製造を完了した後の最終検査または点検を容易にする。さらに、これは、欠陥のある医療デバイスが、患者のベッドサイドにおいてさえ、初期段階において依然として検出または認識され得るという点で、患者の安全に寄与し得る。
【００５９】
本発明によるいくつかの例示的な実施形態では、前支持構造は開口を備える。開口の直径または幅は、最大０．７ｍｍを有し、好ましくは最大０．５ｍｍを有する。これらの寸法は、一方での通路表面と、他方での濾過膜を支持することとの間の妥協点を保証するために、好適であることが判明している。開口は、本明細書で規定されるよりも大きく、その場合、濾過膜は、圧力により、開口にあまりに深く押圧され得るまたは押圧されるようになり得る。これは、通路または透過性を劣化させ得る。さらに、濾過膜は、望ましくなく高度に機械的に荷重をかけられ得る。開口のこれらの提案された寸法を用いて、濾過膜は、少なくとも３バールで有利に加圧され得る。
【００６０】
本発明によるいくつかの例示的な実施形態では、前支持構造は、第２の濾過膜を備える、またはそれからなる。
【００６１】
本発明によるいくつかの例示的な実施形態では、前支持構造の第１の接触部分は、材料の溶融または一時的な液化によって、デバイスの製造中に形成される部分である、またはそれを備える。この溶融された部分は、たとえば、前支持構造の残りの構造とは異なる平坦な材料部分として、認識され得、ここにおいて、残りの構造は、前記部分と比較して、明確に画定され、溶融されず、および／または光学的に認識可能であり、別様に製造または処置される。
【００６２】
本発明によるいくつかの例示的な実施形態では、前支持構造は、溶接シーム部分に面するそれのエリア中に、輪郭付けされた（profiled）または積層された構造を備える。輪郭部または積層部は、この目的で、支持構造の主延長平面に対して平行にまたは対角線方向に延長するチャネルを形成または構築し得る。隆起した構造とチャネルとのこの組合せ、すなわち輪郭部は、濾過膜を前支持構造にまたはそれ上に留めるために構造を溶融するとき、材料が、濾過膜の中央エリアに浸透しない、またはごくわずかに浸透するが、大部分はチャネルエリア中にもしくはそれ内に拡散または延長することを実現し得る。これは、前支持構造の開口と濾過膜とを、溶融された材料によるまたはそれを通した、投入（dumping）または閉塞から保護し得る。
【００６３】
濾過デバイスは、本発明によるいくつかの例示的な実施形態では、医療デバイスの意図された使用中に、流体受容チャンバが第１の流体によってほぼ充填された状態で、随意の疎水性の濾過デバイスの濾過表面上の法線ベクトルが、流体受容チャンバ中に存在する第１の流体の流体レベルの平面上の法線ベクトルと平行に延長しないように、配置される。言い換えれば、２つの法線ベクトルは、本発明によるこれらの実施形態では、共通平面の一部ではない。
【００６４】
濾過表面に関して現在使用されている「法線ベクトル」という表現は、本発明によるいくつかの例示的な実施形態では、濾過デバイスの任意の表面部または部分またはセグメントに対する法線ベクトルを指定する。濾過表面上の法線ベクトルは、濾過デバイスの主部分の平面に対して垂直であり得、特に好ましい実施形態では、濾過デバイスの主部分の表面に対して垂直であり得、極めて特に好ましい実施形態では、濾過デバイスの中心部分に対して垂直な、または濾過デバイスのもしくは非濾過処理膜の濾過処理部に対して垂直なラインであり得る。濾過表面上のそのような法線ベクトルは、垂直方向のおもり、または上述の部のうちの１つ対して垂直なラインを表し得る。
【００６５】
上記で与えられた濾過表面上の法線ベクトルのための定義と類似する、現在使用されている「流体レベルの平面上の法線ベクトル」という表現は、流体レベルの平面の任意の部またはセグメントまたは領域に対する法線ベクトルを指定する。
【００６６】
本発明によれば、「流体表面」という表現は、医療デバイスの使用のために流体受容チャンバ中に存在するまたは受容された、第１の流体の流体表面またはレベル（これらの２つの表現は以下で同義的に使用されるものとする）に関係する。
【００６７】
流体受容チャンバ中に存在する流体の、それぞれハンチングまたはスロッシング、ならびに／または、たとえば、回転および／もしくは波状運動など、流れ運動の場合、それぞれ、流体レベルまたはそれ上の垂直線を引き出すことおよび決定することが困難であり得る。したがって、本発明に関して、流体レベルは、好ましくは、流体受容チャンバ中に存在する流体のスロッシングおよび／または流れ運動を考慮して平均化された、平均レベルまたは充填高さであると理解される。
【００６８】
流体レベルは、好ましくは、流体の流れの静止状態において、または静的流体条件において決定され得る。そのような静止状態が医療デバイスの使用中に得られるかどうかは重要ではない。現在の目的のために、そのような静止状態を仮定または近似すれば十分である。
【００６９】
本発明によるいくつかの例示的な実施形態では、濾過表面上の法線ベクトルは、流体レベルの平面上の法線ベクトルに対して実質的に垂直である。
【００７０】
現在使用されている「実質的に垂直である」という表現は、たとえば、デバイスを備える本発明による医療デバイスが、使用中に、たとえば最高＋／−１５度のわずかな傾きを呈するが、それにもかかわらず、医療デバイス中の流体または液体レベルが、濾過デバイスのそのような傾きにおいて水平にとどまることによる、直角からの偏差を包含する。
【００７１】
本発明によるいくつかの例示的な実施形態では、濾過表面上の法線ベクトルは、使用中に流体受容チャンバ中に存在する第１の流体の、上記で定義された流体レベルとの交点を有しない。
【００７２】
本発明によるいくつかの例示的な実施形態では、医療デバイスは、第２の流体を供給するための少なくとも１つの流体供給チャンバを備える。
【００７３】
現在使用されている「流体供給チャンバ」という表現は、第２の流体を受容することと、第２の流体を流体受容チャンバに供給することとに適した、およびそれらを意図された、内部または内空間を有する、チャンバまたは容器を指定する。
【００７４】
流体供給チャンバは、射出成形されたチャンバとして製造され得る。流体供給チャンバは、使い捨ての流体供給チャンバであり得る。
【００７５】
流体供給チャンバは、それの少なくとも１つの部中で流体受容チャンバに接続され得る。
【００７６】
流体供給チャンバは、材料接続によって流体受容チャンバに接続され得るか、または流体受容チャンバと一体化され得る。
【００７７】
流体供給チャンバは、たとえば、流体受容チャンバの製造中に形成されていることがある。
【００７８】
流体供給チャンバは、少なくとも１つのパーティションまたは部分壁によって流体受容チャンバと隔てられ得る。
【００７９】
本発明によるいくつかの例示的な実施形態では、濾過デバイスは、流体供給チャンバの内部中に配設される。
【００８０】
好ましくは、流体供給チャンバおよび流体受容チャンバは、もっぱら濾過デバイスのみを介して互いと流体連通している。
【００８１】
第２の流体は、好ましくは、医療デバイスの使用中に、流体供給チャンバから濾過デバイスを通して流体受容チャンバに導入される、または供給される、または送り込まれる。
【００８２】
特に好ましい実施形態では、濾過デバイスは、流体受容チャンバ中に存在する第１の流体、特に液体流体が、濾過デバイスを介して流体供給チャンバに入ることができないように、構成され、設けられる。
【００８３】
本発明によるいくつかの例示的な実施形態では、第２の流体は、流体供給チャンバに接続可能であるまたは接続された、流体コネクタを介して流体供給チャンバに供給され、流され、導入される、などであり得る。
【００８４】
流体コネクタは、スリーブ型構成要素であり得る。流体コネクタは、流体供給チャンバの壁または側壁と一体に製造され得る。流体コネクタは、流体供給チャンバの壁または側壁の外面上にまたはそれにおいて設けられ得る。流体コネクタは、流体供給チャンバ中に配設された濾過デバイスの領域内に設けられ得る。流体コネクタは、濾過デバイスに直接接続または連結され得る。
【００８５】
流体コネクタは、１つまたは複数の接続ボアを介して流体供給チャンバの壁または側壁の内側に接続され得る。
【００８６】
流体コネクタは、医療デバイスの外部から内部に流体を直接導くかまたは伝導するように配置され得る。
【００８７】
本発明によるいくつかの例示的な実施形態では、流体受容チャンバは、たとえば、射出成形されたチャンバの形態で製造され得る。
【００８８】
流体受容チャンバは、使い捨ての流体受容チャンバであり得る。
【００８９】
流体受容チャンバは、チャンバの外側と流体連通していることがある。流体受容チャンバは、チャンバの外側との２つまたはそれ以上の流体連通を有し得る。
【００９０】
流体受容チャンバは、チャンバの内部との流体連通または正確に１つの流体連通のみを有し得る。流体受容チャンバは、チャンバの内側との２つまたはそれ以上の流体連通を有し得る。
【００９１】
濾過膜によって、流体受容チャンバは、好ましくは、液体連通に関して、流体供給チャンバの流体コネクタからおよび／または医療デバイスの外側から分離される。
【００９２】
濾過膜は、任意の好適な形状を有し得る。濾過膜は、たとえば、円形、多角形、特に矩形、楕円形などであるように構成され得る。
【００９３】
濾過膜は、濾過膜ストリップまたはテープからカットアウトされ得、および／または、適切な場合、特定の形状にカットされ得る。
【００９４】
濾過膜は、使い捨ての濾過膜であり得る。
【００９５】
濾過膜は、疎水性の膜であり得る。濾過膜は、少なくとも一方の側に関して疎水性であり得る。
【００９６】
濾過膜は、２つの層、すなわち、第１に、大部分が、たとえば、ＰＴＦＥ（ポリテトラフルオロエチレン）またはｅＰＴＦＥ（延伸ポリテトラフルオロエチレン）など、溶接することが困難であり、接着することが困難である、材料からなる、本来の膜自体、ならびに、第２に、排液および／または支持機能を有し、大部分が、溶接および／もしくは接着されるのに好適な織布材料ならびに／または不織布材料からなる、またはそれを備える、層からなり得る。上述の層とは別に、濾過膜は、追加の層または構成要素を代替的に備え得る。
【００９７】
濾過膜は滅菌膜であり得る。
【００９８】
濾過膜は、接着するのに適さないもしくは不適である材料、および／または溶接するのに適さないもしくは不適である材料からなり得る、またはそれを備え得る。
【００９９】
たとえば、処置の持続時間中になど、医療デバイスの使用中に、濾過膜は、流体受容チャンバ（流出気体、接触している液体）の方向からの、および／または処置装置（流入気体、欠陥の場合の接触している液体、および／または凝縮に起因する望ましくない接触している液体）の方向からの変動する圧力にさらされ得る。膜中に構造損傷または裂け目を引き起こし得る、これらの圧力差による変形に対する、平面の利用エリア中の、および／または、たとえば、流体供給チャンバの壁上の、濾過膜の密封（概して溶接）ロケーションにおける、濾過膜の保護として、濾過膜を機械的に支持することが有利であり得る。
【０１００】
そのような機械的支持を達成するために、支持構造を採用することが可能である。支持構造は、支持表面が、濾過膜を通る流体の所望の通路、たとえば、有用な気体の通路に対して濾過膜を密封することは望ましくないので、密封しないように構成される。
【０１０１】
濾過デバイスは、対称または非対称構成を有し得る。
【０１０２】
本発明によるいくつかの例示的な実施形態では、濾過デバイスは、両側においてまたは両側上に、すなわち、濾過膜の前側と後側の両方上に支持構造を備える。
【０１０３】
前支持構造に加えて、本明細書では「後」支持構造として指定される支持構造が、濾過膜の後側上に設けられ得る。これらの２つの支持構造は、別々に設けられ得る。
【０１０４】
第３の支持構造が、膜層自体の上に配置され得る。第３の支持構造は、好ましくは、不織布材料または織布材料などの形態を有し得る。
【０１０５】
後支持構造は、好ましくは、流体コネクタのハウジング内に設けられる。後支持構造は排液構造を有し得る。後支持構造は排液効果を有し得る。
【０１０６】
後支持構造は、正でない接続によっておよび／もしくは正の接続によって接続され得、ならびに／または流体供給チャンバに結合され得る。好ましくは、後支持構造は、正でない接続によっておよび／もしくは正の接続によって外周辺領域中で接続され、ならびに／または流体供給チャンバにもしくはデバイス本体の別の部分に結合され得る。
【０１０７】
濾過膜は、概して、結合に適さないもしくは不適であり、および／または溶接に適さないもしくは不適である、材料からなるので、流体供給チャンバの内部に面する支持構造は、少なくとも１つの外領域、好ましくは、それの外周辺領域中で流体供給チャンバに接続され得る。
【０１０８】
好ましくは、後支持構造は、たとえば、熱溶接、ミラー溶接、超音波溶接またはレーザー溶接によってのように、たとえば溶接によって、流体供給チャンバにまたはデバイス本体の別の部分に結合される。後支持構造は、流体供給チャンバにまたはそれの接続領域に、熱的に溶接され得る。
【０１０９】
この目的で、後支持構造は、好ましくはそれの外領域では、流体供給チャンバの接続領域よりも高度に溶融する材料から作られる。
【０１１０】
後支持構造を流体供給チャンバまたはそれの接続領域と溶接する間に、加熱によって液化された流体供給チャンバの材料が、後支持構造の多孔質構造に浸透し得る。液体材料は濾過膜まで浸透し得る。このようにして、流体供給チャンバと後支持構造と濾過膜との間の解放可能でない接続を形成することが有利に可能である。同時に、濾過膜は、特に横方向において有利に密封され得る。
【０１１１】
後支持構造は、好ましくは薄肉の射出成形部品である。後支持構造は、好ましくは、膜層に面する側上にまたは両側上に排液構造を備える。
【０１１２】
後および／または前支持構造は、射出成形によって生産または製造され得る。
【０１１３】
たとえば、後支持構造は、射出成形技法によって製造された流体供給チャンバの壁に組み込まれ得る。
【０１１４】
前支持構造は、濾過膜と実質的に平行に配設され得る。
【０１１５】
前支持構造は、濾過膜との力のかからない接触状態で、および／または流体供給チャンバの内部から離れるほうに面する濾過膜の側上に遊びがほとんどない状態で設けられ得る、または濾過膜と接触していることがある。
【０１１６】
前支持構造は、流体供給チャンバと同じ材料から作られ得る、またはそれを備え得る。
【０１１７】
前支持構造は、別個の要素を形成し得る、または別個の要素として製造され得る。たとえば、前支持構造は、薄肉の射出成形部品として製造され得る。
【０１１８】
本発明によるいくつかの例示的な実施形態では、前支持構造は、実質的に完全に濾過膜をカバーする。
【０１１９】
前支持構造は、排液効果を有しないリングゾーンまたはリング領域によって、外側に向かって区切られたそれのエリアおよび／または境界を有し得る。
【０１２０】
「リングゾーン」または「リング領域」という表現は、本発明によるいくつかの例示的な実施形態では、前支持構造の外部領域または外部マージンまたは外部エッジまたは外マージンまたは外エッジを指定する。ただし、「リング」という語構成要素は、本発明をゾーンのまたは領域の円形構成に制限するものではない。そうではなく、「リング」という語構成要素は、周囲もしくは円周領域または周囲もしくは円周ゾーンを示すことが意図されるが、その領域またはゾーンは、他の好適な形態、たとえば、矩形、楕円などの形状にも構成され得る。
【０１２１】
このリングゾーンまたはリング領域の外境界は、濾過膜の外寸に実質的に対応し得る。
【０１２２】
このリングゾーンまたはリング領域の内境界は、リングゾーンまたはリング領域への濾過膜の固定の後に残される、濾過処理効果を有する濾過膜エリアに実質的に対応し得る。
【０１２３】
濾過膜は、気密な様式で前支持構造に接続され得る。濾過膜は、リングゾーンまたはリング領域の壁材料に接続され得る。たとえば、濾過膜は、それの外の、好ましくは周囲または円周領域において、前支持構造にまたは前支持構造の外リング領域に接続され得る。
【０１２４】
濾過膜は壁材料に結合され得る。濾過膜は、たとえば、壁材料に接着または溶接され得る。溶接方法は、とりわけ、熱溶接、ミラー溶接、超音波溶接またはレーザー溶接を含む。
【０１２５】
濾過膜は、対応して、後支持構造と前支持構造の両方に接続され得る、またはそれらと一体化され得る。
【０１２６】
前支持構造は、溶接および／または接着することによって、濾過膜におよび／またはデバイス本体に接続可能である、薄肉の射出成形部品または要素であり得る。
【０１２７】
前支持構造は、とりわけ、熱溶接、ミラー溶接、超音波溶接またはレーザー溶接によって溶接され得る。
【０１２８】
少なくとも３つの支持構造を備える構成は、例示的に、以下のように形成され得る。
【０１２９】
第３の支持層は濾過膜上に適用される。組立中に、第３の支持層、たとえば、溶接可能な不織布材料は、不織布材料の側上で後支持構造上に置かれる。第３の支持層は、濾過膜層の円周において、すなわち、好ましくは、後支持構造外に位置する領域中で、周囲にまたは円周方向に密封する様式で、後支持構造に溶接および／または接着される。このようにして、第３の支持構造と後支持構造との間の密封機能が有利に達成され得る。
【０１３０】
前支持構造、たとえば、薄肉の射出成形部品は、後支持構造に随意に溶接される濾過膜上に、それの支持構造をもつふたのように置かれる。前支持構造は、濾過膜層外の外リングゾーン中で流体コネクタのハウジング（射出成形されたハウジング）に溶接および／または結合される。
【０１３１】
前支持構造は、濾過膜のための維持機能を有利に与える。
【０１３２】
（１つまたは複数の）後および／または前支持構造は、（１つまたは複数の）支持構造を配置した後に、依然として、支持なしに存在する、濾過膜のいくらかの自由にアクセス可能な表面部があるように構成され得、ここにおいて、自由にアクセス可能な表面部の各々は、隣接する機械的支持体または支持構造への十分に小さい延長部を有する。
【０１３３】
したがって、支持されていない濾過膜エリアに作用する第２の流体の最大の認容される流体圧力は、好ましくは、（たとえば、濾過膜の座屈による）認容できないほどに高い応力をもはや発生させない。
【０１３４】
たとえば、たとえば排液構造などの支持構造のうちの単一の支持構造またはすべては、約０．５〜２ｍｍの幅を有し得る。
【０１３５】
外側上に配置された流体コネクタは、ボア、凹部または開口を介して、濾過膜のための、外排液または支持構造、すなわち後支持構造と連通し得る。
【０１３６】
後支持構造と前支持構造との間に配置された濾過膜は、使用目的に従って必要とされるような程度までの機械的負荷に実質的に耐えることができる。
【０１３７】
そのような膜接続、すなわち、濾過膜と２つの支持構造との間の接続が配置される平面は、排液構造の突き出た領域が配置される平面に実質的に対応し得る。
【０１３８】
濾過膜の接続技法および／または厚さに応じて、排液構造の突き出た領域と濾過膜の外側平面との間の千鳥状高さが妥当であり得る。そのような千鳥状高さは、濾過膜の外側平面が、力のかからない接触状態で、および／または遊びがほとんどない状態で、突き出た排液構造上に載置されるようにするのに役立ち得る。
【０１３９】
突き出た排液構造は、できるだけ小さくなるように配置され得る。
【０１４０】
好ましくは、第２の流体の制限された流れのみが、濾過膜領域に対して載置された突き出た排液構造と接触し、および／またはそれと押圧接触している、濾過膜領域を通して起こり得る。
【０１４１】
流体コネクタへの接続ボアのサイズおよび／もしくは数、ならびに／または凹んだ排液構造の配置、数、幅および／もしくは深さは、これらの流れ経路によって引き起こされる第２の流体の可能な圧力低下が、濾過デバイスを通って通過するときに発生する総圧力低下の無視できるまたは許容できる小部分を埋め合わせるようなものであり得る。
【０１４２】
凹んだ排液構造の幅および／または流体コネクタへの接続ボアの直径は、（たとえば、凹んだ構造への座屈を生じる）最大可能圧力差の下で濾過膜に作用する引張り力が、好ましくは、濾過膜内と、概してより敏感な、リング固定（たとえば、溶接）部に対する境界面におけるゾーン中との両方で、認容される引張り力よりも明らかに低くなるように、十分に小さくなるように適応され得る。
【０１４３】
本発明によるいくつかの例示的な実施形態では、後および前支持構造は、膜の主平面に対してミラー反転様式で同等である、または実質的に同等である、排液構造を備える。
【０１４４】
好ましくは、凹んだおよび／または突き出た排液構造は、一貫したまたは実質的に一貫した様式で互いに対向する。
【０１４５】
好ましくは、一方の濾過膜側上の凹んだ排液構造がより狭くなるように実現される、または濾過膜のこの側上の突き出た排液構造が、濾過膜の反対側上の排液構造よりも広くなるように実現される。これは、より大きい横方向設置許容差を与え得る。しかしながら、構造のピッチおよび／または配置は、好ましい様式では、両側に同等に実現され得る。
【０１４６】
このようにして、横方向設置許容差を利用することによって、流体通路抵抗および機械的支持の程度などのプロパティに関係する極めて安定したプロパティプロファイルが生じ得る。
【０１４７】
前支持構造の構造の全体的厚さは、排液構造の深さから、および／もしくは前支持構造の材料の最小可能肉厚から生じ得る、またはそれらの和であり得る。その結果、前支持構造は、有利なことに、構造空間をほとんど必要としないことがあり、および／またはより低いコストで製造され得る。
【０１４８】
精度および剛性に関して前支持構造に対する特定の要求がないことから別の利点が生じ得る。その上、コストの態様および／または最低の可能な複雑さの下で、流体供給チャンバにおいてのみ前支持構造を留めることが有利に可能であり得る。
【０１４９】
図１および図２に示されているように、前支持構造は、たとえば、プラグインまたはリベット締め固定によって、またはボルト固定の原理に従って、流体供給チャンバに接続され得る。同様に、前支持構造は、ドット形状の溶接部によって、および／または流体供給チャンバの側壁または壁の好適な幾何学的構成にスナップ嵌合することによって、流体供給チャンバに接続され得る。
【０１５０】
本発明によるいくつかの例示的な実施形態では、前支持構造の排液構造は、前支持構造の排液構造が、それらの外側における膜境界において終了せず、それらの外側において構成要素境界まで放射状に続くという点で、とりわけまたは単に、外側排液構造とは異なり得る。したがって、流入および／または流出する流体は、前支持構造と流体供給チャンバの上境界または上マージンもしくはエッジとの間の、残りの環状またはリング空間に自由に浸透し得る。流体は、大きいルーメンを介して流体受容チャンバと有利に連通し得る。
【０１５１】
本発明によるいくつかの例示的な実施形態では、流体受容チャンバは、第１の構造高さを有し、流体供給チャンバは、第１の構造高さとは異なる第２の構造高さを有する。
【０１５２】
また、またはさらに、流体供給チャンバは、医療デバイスの使用中に流体受容チャンバの上方（「上部」）に配設され得る。「上方」は、地球の中心を通過する基準系に関係し得る。
【０１５３】
流体受容チャンバおよび流体供給チャンバのそのような構成において、医療デバイスは、好ましくは、段階的深さとともに具現される。医療デバイスの使用中に流体供給チャンバの下方（「下部」）に配置される深い流体受容チャンバは、使用中に、その中に存在する流体のためのリザーバおよび／または処置空間として利用され得る。
【０１５４】
本発明による医療デバイスは、少なくとも一方の側においてカバー要素を設けられ得る。
【０１５５】
特に好ましい実施形態では、濾過手段および／または濾過膜は、本発明による医療デバイスのカバー要素と平行にまたは実質的に平行に配置される。
【０１５６】
本発明によるいくつかの例示的な実施形態では、第２の流体は気体である。さらなる好ましい実施形態では、第１の流体は、たとえば、血液などの液体であり得る。
【０１５７】
本発明による医療デバイスは、医療処置装置などの処置装置、ラボラトリ技術において使用される装置、食品および／もしくは薬品製造において使用される装置中での、またはそれ上での、またはそれとの使用に適している。したがって、本発明による受容手段中に導入または供給または伝導されるのに適した流体は、血液、サブスティチュエート（たとえば、食塩水）などの医療液体、溶液、懸濁液、乳剤などの活性薬剤の調製物、活性薬剤のための担体気体（carrier gas）、洗浄液体または気体、消毒液体または気体、滅菌液体または気体、飲料液体などの両方を包含し得る。
【０１５８】
濾過膜が滅菌膜として設けられるとき、本発明による医療デバイスは、特に、流体受容チャンバへの滅菌空気供給のために利用され得る。
【０１５９】
本発明による医療デバイスは、たとえば、プラスチック材料から製造された、使い捨ての構成要素または使い捨ての物品であり得る。
【０１６０】
本発明による医療デバイスは、射出成形技法によって製造され得る。
【０１６１】
本発明による医療デバイスは、液体および／もしくは気体接続、アクターおよび／もしくはセンサーに連結するための半開放通路ならびに／またはチャンバならびに／または構造を含み得る。そのようなアクターおよび／またはセンサーは、カセット中の液体に対して、好ましくは滅菌性に関して非侵襲性のおよび／または分離された機能を実行することに役立ち得る。たとえば、膜、特に低コストフィルムなど、１つまたは複数のカバー部材が、通路およびチャンバの閉鎖および／または密封を与え得る。
【０１６２】
本発明によるいくつかの例示的な実施形態では、医療デバイスの濾過デバイスまたは濾過膜は、流体受容チャンバの内部を外側に対して閉じるための医療デバイスのカバー要素と平行に配置される。
【０１６３】
たとえば、医療デバイスが利用される血液処置は、透析法、血液透析法、血液濾過法、血液透析濾過法などであり得る。
【０１６４】
本発明による医療デバイスは、流体受容チャンバへの滅菌空気供給のために有利に利用され得る。
【０１６５】
本発明によるいくつかの例示的な実施形態では、流体供給チャンバおよび流体受容チャンバは、ともに、これらの２つのチャンバの外の外部への正確に２つの接続のみを有する。
【０１６６】
本発明によるいくつかの例示的な実施形態では、濾過膜は、管部分中に配置されない。
【０１６７】
管は、それの横断面全体に沿って流体のための可撓性ライン（flexible line）であり得る。
【０１６８】
本発明によるいくつかの例示的な実施形態では、流体供給チャンバおよび流体受容チャンバ以外の管接続はない。
【０１６９】
本発明によるいくつかの例示的な実施形態では、流体供給チャンバも流体受容チャンバも、可撓性のまたは完全に可撓性のバッグではない。
【０１７０】
本発明によるいくつかの例示的な実施形態では、医療デバイスは、脂肪の通過の選択的阻止のためのデバイスではない。
【０１７１】
本発明によるいくつかの例示的な実施形態では、医療デバイス、流体供給チャンバおよび／または流体受容チャンバは挿入ピンを備えない。
【０１７２】
本発明によるいくつかの例示的な実施形態では、流体供給チャンバへの第２の流体のためのアクセスは、（濾過膜を通る流路に対して）濾過膜の一方の側上にあり、流体受容チャンバへの第１の流体のためのアクセスは、濾過膜の反対側上にある。
【０１７３】
本発明によるいくつかの例示的な実施形態では、流体受容チャンバは、医療デバイスの流体チャネルに直接接続され、ここにおいて、流体チャネルは、少なくとも部分において、デバイス本体を通って延長するかまたはデバイス本体によって形成される。
【０１７４】
本発明によるいくつかの例示的な実施形態では、流体供給チャンバは、濾過膜によって流体的に制限される。
【０１７５】
本発明によるいくつかの例示的な実施形態では、流体供給チャンバおよび流体受容チャンバは、医療デバイスのデバイス本体中に設けられる。
【０１７６】
本発明によるいくつかの例示的な実施形態では、医療デバイスは血液カセットである。デバイス本体は、これらの場合、カセット本体である。
【０１７７】
本発明によるいくつかの例示的な実施形態では、医療デバイスは、さらに、ポンプ管セグメントの有無にかかわらず、蠕動ポンプのためのポンプ管セグメントのための少なくとも２つのコネクタを備える。
【０１７８】
本発明によるいくつかの例示的な実施形態では、医療デバイスは、さらに、動脈患者接続と、動脈濾過ラインと、静脈患者接続と、動脈ヘパリン付加部位とを備える。動脈ヘパリン付加部位は、動脈濾過ラインと静脈患者接続との間に配置される。
【０１７９】
本発明によるいくつかの例示的な実施形態では、医療デバイスは、静脈濾過ラインと静脈ヘパリン付加部位とを備え、ここにおいて、静脈濾過ラインは、静脈ヘパリン付加部位に対して内方に配置される。
【０１８０】
本発明によるいくつかの例示的な実施形態では、医療デバイスは、平行四辺形の形態を有する単針滅菌膜を備える。
【０１８１】
濾過膜を単針滅菌膜として使用することは、濾過膜の後側からの圧力が、流体システムの血液を患者に供給するために繰り返し蓄積されるので、前記濾過膜に関する特定の要件を提示する。そのような機能、濾過膜は、機械への液体の浸透を防ぐことによる機械の保護と、流体システムの汚染を防ぐことによる患者の保護とを実現し得る。
【０１８２】
好ましい実施形態では、医療デバイスは、たとえば、センタリング開口の形状で、１次または第１の整合中心と２次または第２の整合中心とを備える。１次整合中心および２次整合中心は、異なる形態および／または異なる整合を備える。
【０１８３】
本発明による実施形態の一部または全部は、上記でまたは以下で述べられる１つまたは複数の利点を包含し得る。
【０１８４】
本発明による医療デバイスは、本明細書で説明されるそれの前支持構造により、本発明によるいくつかの実施形態では、放射線滅菌によってまたは「電子ビーム」によって滅菌され得る。放射線滅菌および「電子ビーム」は、薄いテフロン（登録商標）層と厚い担体フリース（carrier fleece）とから通常作られる濾過膜の層間剥離につながり得る。したがって、圧力に対する濾過膜の耐性または硬度が減少される。圧力が比較的低い値を超える場合、テフロン層は担体フリースから（またはその逆に）剥がれ得、これは、患者の安全と、また濾過膜のまたは医療デバイスの機能との両方にとって有害であり得、本明細書では層間剥離と呼ばれる。層間剥離は、好ましくは、濾過膜がデバイス本体にその上で溶接される溶接部分において出現する。前支持構造は、本発明によれば、溶接部分と接触している。所与の圧力による層間剥離に対抗し得る、または、使用中に、層間剥離の出現なしに、４倍のより高い圧力の圧力負荷を許容し得るのは、この接触である。したがって、濾過膜の支持がそれの前側において達成されることが重要である。
【０１８５】
第１の支持部分と濾過膜との間の接触が、溶接部分を越えて濾過膜の内部に延長するとき、それは、さらに有利である。
【０１８６】
流体受容チャンバの最も高いポイントにおいて、および自由流体表面と実質的に平行に、疎水性の滅菌膜が配設される、外部機能デバイスの滅菌空気供給のための従来の配置とは対照的に、本発明に従って設けられる濾過膜は、好ましくは、測地様式で、通常流体で最大量まで充填される流体受容チャンバの上方に配置され得る。故障のない動作中に、流体供給チャンバは、したがって、第２の流体、たとえば気体、および少量の第１の流体、たとえば、血液などの液体のみに有利に接触するようになり得る。
【０１８７】
本発明に従って使用される濾過膜は、単針濾過膜として具現され得る。
【０１８８】
本発明に従って使用される濾過膜は、平行四辺形の形態を有し得る。
【０１８９】
本発明に従って使用される濾過膜は、敏感な要素であり、検査することが困難であり、したがって、概して、処置利用ごとに交換されるべきであるので、濾過膜は、有利には、使い捨ての医療デバイスの構成要素であり得る。そのような濾過膜は、その上、さらなる有利な様式では、使い捨ての医療デバイスと組み合わせて滅菌され、および／または、使い捨ての部分的なシステムを、保管中におよび／または処置装置への接続中に、滅菌様式で閉じられた状態に保ち得る。
【０１９０】
疎水性の濾過膜は、さらに、流体受容チャンバ中に存在する、処置されるべき流体が、誤動作の場合に処置装置に入るのを防がれることを有利に保証し得る。
【０１９１】
本発明による医療デバイスは、処置装置、特に血液処置装置のために頻繁に設けられる使い捨ての医療デバイス中に存在する空間的および／または機能的配置を、適応のために、押圧するために、許容差を補償するために、力をリミテートするために、取付けのために、配向のために、および／または配置全体の他の機能ユニットと並列に処理するために、有利に利用し得る。
【０１９２】
本発明による医療デバイスの流体供給チャンバのおよび流体受容チャンバの配置とともに、従来の配置の異なる幾何学的環境条件は、濾過膜の周囲における閉じ込められた空間により、排液または支持構造におけるエリアユニットごとのより高い気体圧力損失を有利に生じ得る。このようにして、同等の圧力損失において、よりコスト効率の高い、より小さい構造の濾過膜を採用することが有利に可能であり得、したがって、同時に、矩形形状により、構造空間をより効率的に利用することが頻繁に可能である。
【０１９３】
従来のシステム中の濾過膜は、概して、周囲支持構成の機械的強度の理由で円形にされなければならず、低い横方向許容差でハウジング環境に収められなければならないが、本発明のデバイス中の濾過膜は、切断損失なしに濾過膜から矩形として製造するであり得、十分に横方向許容差とともに、流体供給チャンバの壁上に溶接、結合または押圧され得る。
【０１９４】
支持構造と濾過膜との間の同じ密封効果を生じるであろうが、ひずみに対する接続のより低い機械的感受性が付随するであろう、同じタイプのものであるかまたは両側上で溶融される、接続相手間の溶接接続とは対照的に、本発明による流体供給チャンバのための低融点材料の選択は、同時に、機械的ひずみをうまく受け得る密封接続を達成することを可能にする。このようにして、第１の支持層が、溶融および押圧により、より薄くなることを回避することが有利に可能である。さらに、材料欠陥、および／または濾過膜の非溶融領域に対する境界面における横断面の不都合な不連続性を回避することが有利に可能である。
【０１９５】
濾過膜の平面における横方向からの濾過膜の良好なアクセシビリティが、本発明に従って設けられた前支持構造を用いてさらに可能である。これは、不注意により濾過膜が液体で湿潤した場合に、特段の利点になり得る。
【０１９６】
流体受容チャンバの内部のほうへのより高い排液能力は、重要な安全利点を有利に生じ得る。濾過膜が液体の表面と平行に配置されるときの従来の濾過膜配置では、濾過膜までの認容されない完全な充満（flooding）の場合、圧力衝撃が出現し得、これは、濾過膜の破壊と、医療デバイスのおよび／または処置装置の他の構成要素に対する妨害との両方につながり得る。しかしながら、本発明による医療デバイスでは、認容されないほど上昇し続けるレベルは、濾過膜表面にわたって連続的に広まり得、したがって、通路圧力は、穏やかに増加する様式で、衝撃なしに上昇し得る。
【０１９７】
さらに、本発明では、液体が、重力の影響下で、濾過膜から流体受容チャンバに再び自動的に流れ出ることが可能であるので、本発明に従って設けられた濾過手段の配置は、流体受容チャンバの完全な充満を伴う、誤動作の無害な多数の再現性に有利に耐え得る。
【０１９８】
このようにして、処置方法の中止を回避することが有利に可能であり得る。
【０１９９】
以下では、本発明が、添付の図面を参照することによって説明される。図面において、同じ参照番号は、同じまたは同等の要素を指定する。
【図面の簡単な説明】
【０２００】
【図１】本明細書では血液カセットとして例示的に構成された、本発明による医療デバイスの詳細または断面の平面図。
【図２】本発明による血液カセットの横断面図。
【図３】縦断面図で、ならびに、図２に対して、および血液カセットの使用中の配置に対して９０°だけ傾けられて示された、図２に示されている本発明による血液カセットの拡大詳細図。
【図４ａ】第１の接触部分をもつ前支持構造の図。
【図４ｂ】図４ａに示されている前支持構造の詳細の拡大図。
【図５ａ】異なる例示的な実施形態における、本発明による血液カセットの詳細の高度に簡略化された図。
【図５ｂ】異なる例示的な実施形態における、本発明による血液カセットの詳細の高度に簡略化された図。
【図５ｃ】異なる例示的な実施形態における、本発明による血液カセットの詳細の高度に簡略化された図。
【図５ｄ】異なる例示的な実施形態における、本発明による血液カセットの詳細の高度に簡略化された図。
【図６ａ】本発明による血液カセットの、本発明による、異なる例示的な実施形態におけるカセット本体と前支持構造の両方の断面の図。
【図６ｂ】本発明による血液カセットの、本発明による、異なる例示的な実施形態におけるカセット本体と前支持構造の両方の断面の図。
【図６ｃ】本発明による血液カセットの、本発明による、異なる例示的な実施形態におけるカセット本体と前支持構造の両方の断面の図。
【図６ｄ】本発明による血液カセットの、本発明による、異なる例示的な実施形態におけるカセット本体と前支持構造の両方の断面の図。
【図７ａ】本発明による、血液カセットの第２の接触部分と支持部分との異なる実施形態の図。
【図７ｂ】本発明による、血液カセットの第２の接触部分と支持部分との異なる実施形態の図。
【図７ｃ】本発明による、血液カセットの第２の接触部分と支持部分との異なる実施形態の図。
【図７ｄ】本発明による、血液カセットの第２の接触部分と支持部分との異なる実施形態の図。
【図８】前支持構造の代わりに設けられた第２の濾過膜をもつ、本発明によるデバイスの図。
【図９】図８の場合のように、第２の濾過膜をもつ、本発明による実施形態の図。
【図１０】前支持構造の部分の溶融より前の前支持構造の、本発明によるさらなる実施形態の図。
【図１１】前支持構造の部分の溶融の後の前支持構造の、本発明によるさらなる実施形態の図。
【図１１ａ】図１１の拡大詳細の図。
【発明を実施するための形態】
【０２０１】
図１は、本発明の例示的な実施形態による血液カセット２００として例示的に具現された、本発明による医療デバイスの詳細の平面図を示す。
【０２０２】
本発明による医療デバイスは、本明細書では、血液カセット２００として例示的に具現されるが、および、本医療デバイスは、この点について説明または詳述されているが、本発明は、それに限定されないものとする。本発明による医療デバイスは、例として、管システム、管セットまたは、各々の一部であり得る。
【０２０３】
血液カセット２００はカセット本体２０１を備える。血液カセット２００は、随意に、カバー要素２２９、本明細書ではフィルムをさらに備える。カバー要素２２９は、設けられた場合、カセット本体２０１を、少なくとも部分的に、場合によってはそれの側全体においてカバーする。カバー要素２２９は、カセット本体２０１よりも柔らかい材料から作られ、その理由で、カセット本体２０１は硬い部品と呼ばれる。カバー要素２２９は、外部または雰囲気に対してカセット本体２０１をカバーする。
【０２０４】
カセット本体２０１は、流体受容チャンバ１および随意の流体供給チャンバ３を備える。
【０２０５】
使用中に、第１の医療流体５が、流体受容チャンバ１中に一時的に存在し、その流体５は、図１では流体受容チャンバ１を流体レベル７まで充填する。
【０２０６】
濾過デバイスを随意に備える流体供給チャンバ３、濾過デバイスの濾過膜９、および同様に随意の後支持構造１１が図１に示されている。
【０２０７】
後支持構造１１は排液構造１３を備える。後支持構造１１は、固定デバイス１５、たとえば、リベット接続、溶接シームなどの助けをかりて、カセット本体２０１に、たとえば、流体供給チャンバ３に接続される。
【０２０８】
流体コネクタ１７が、濾過デバイスの後支持構造１１に接続される。
【０２０９】
流体コネクタ１７を通して、第２の流体１９が流体受容チャンバ１に導入される。第２の流体は、たとえば圧力を付加することによって、第１の流体５を処置するために使用され得る。
【０２１０】
図１に示されているように、流体受容チャンバ１は下領域２１を表し、流体供給チャンバ３は上領域２３を表す。
【０２１１】
図１に示されている血液カセット２００の部分は、濾過膜９の前側が見えるように配置される。濾過膜９は、それの側が図平面の後ろにある状態で後支持構造１１上に配設される。後支持構造１１は、後側が濾過膜９に面する、または濾過膜９の後側上に配設されるので、「後」支持構造として示される。
【０２１２】
図２は、本発明による血液カセット２００を横断面図で示す。血液カセット２００は、処置装置３００でまたはそれに押圧される。
【０２１３】
下領域２１は、より深い領域、すなわち、流体受容チャンバ１を形成する。上領域２３は、より浅い領域、すなわち、流体供給チャンバ３を形成する。
【０２１４】
図２に両矢印によって示されているように、第２の流体１９は、流体コネクタ１７を通して流体供給チャンバ３に導入される。
【０２１５】
流体供給チャンバ３は、図２に表されるように、密封接続部２５、たとえば、溶接または結合接続部によって流体供給チャンバ３に留められた後支持構造１１を随意に備える。
【０２１６】
後支持構造１１上に、濾過膜９が配設され、濾過膜９上に前支持構造２７が設けられる。
【０２１７】
血液カセット２００のカセット本体２０１は、カバー要素２２９、たとえばフィルムによって一方の側においてカバーされる。
【０２１８】
処置装置３００のセンサーまたはアクターによる力および／または運動を、血液カセット２００またはそれのチャンバおよび／もしくは通路に伝えることに役立ち得る、ゴムマット３０１の媒介によってまたはそれを通して、血液カセット２００は処置装置３００で押圧される。
【０２１９】
ゴムマット３０１は弾性構造３３を有し得る。
【０２２０】
流体受容チャンバ１内に存在する流体を導入または除去するために、流体受容チャンバ１は、それの下側において流体接続部３５を設けられ得る。
【０２２１】
図３は、図２の本発明による血液カセット２００の拡大詳細または断面図を示す。より正確に言えば、図３は、濾過デバイスを縦断面図で示す。
【０２２２】
図２の表現と比較して、濾過デバイスは、図３の表現では、流体コネクタ１７が上方に向けられるように、９０度だけ傾けられた。
【０２２３】
傾けることは、より良い表現に役立つ。血液カセット２００の使用中に、濾過デバイスは、図１のそれの位置をとる、または持続する、または保つ。
【０２２４】
織布の形態の、（表されていない）膜層と第３の支持層とを例示的に備える濾過膜９が、後支持構造１１と前支持構造２７との間に配設される。
【０２２５】
単一の構成要素の詳細な説明については、上記の説明または実施形態が参照される。
【０２２６】
後支持構造１１と濾過膜９との間の密封接続を確立するために、随意の第１のリングゾーンまたは第１のリング領域３７が設けられる。濾過膜９と前支持構造２７との間の接続を確立するために、随意の第２のリングゾーンまたは第２のリング領域３９が設けられる。
【０２２７】
図３の矢印Ｉは、濾過膜９の内側もしくは中心部分を示す、またはそれのほうを指す。矢印Ｉは、濾過膜９のエッジから内側のほうを指す。
【０２２８】
参照番号９ａは濾過膜９の後側を指定し、参照番号９ｂは濾過膜９の前側を指定する。
【０２２９】
濾過膜９は、それの後側９ａ上におよび／またはそれの前側９ｂ上に担体フリースを有し得る。担体フリースは織布であり得、担体フリースはテフロン層を備え得る。
【０２３０】
図４ａは、第１の接触部分２７ａをもつ前支持構造２７を示す。図４ａの図は、使用中に、濾過膜９の前側９ｂに面する、前支持構造２７の側の図に対応する。前支持構造２７は、前支持構造２７を通過する開口２８を備え、開口２８は、図４ｂを参照しながら以下で説明される。
【０２３１】
図４ａに例示的に示されているように、第１の接触部分２７ａは、前支持構造２７の残りの部分もしくは部分とは別のまたは異なる材料から作られ得る。たとえば、第１の接触部分２７ａは、シリコンから作られ得る、またはそれを備え得、前支持構造２７の溝にまたはスロットに、たとえばＯリングとして、随意に挿入され得る。したがって、前支持構造２７は、比較的好都合なまたは低価格の、より硬い材料から実質的に作られ得る。同時に、前支持構造２７の第１の接触部分２７ａは、より柔らかい材料から作られ得、より柔らかい材料は、より硬い材料と比較してより費用がかかるが、より硬い材料とは異なり、第１の接触部分２７ａが濾過膜９に接触するとき、および前支持構造２７が濾過膜９に対して押圧されているとき、損傷を有利に引き起こさないことがある。
【０２３２】
第１の接触部分２７ａは、本発明によれば、図４ａに示されているものとは異なり、代替的に、前支持構造２７の残りの部分または他の部分と同じ材料から作られ得る。たとえば、第１の接触部分２７ａを含む前支持構造２７全体が、シリコンから作られ得る、またはそれからなり得る。これは、シリコンが費用対効果のある材料ではないので、かなり高い材料コストで、製造上の利点をもたらす。
【０２３３】
本発明は、再び図４ａの図とは異なり、前支持構造２７のすべての部分が、シリコンではない材料から作られる、またはそれからなる、さらなる実施形態を包含する。このようにして、前支持構造２７は低コストで製造され得る。第１の接触部分２７ａのエリア内で前支持構造２７をカセット本体２０１に溶接中に、および溶接することにより、前支持構造２７をカセット本体２０１に接続したときにまたは接続すると、前支持構造２７の所望の低い硬度が達成される。
【０２３４】
図４ｂは、図４ａの前支持構造２７の拡大詳細図を示す。
【０２３５】
濾過膜９を通って流れることもできる流体のために前支持構造２７を透過性にする、開口２８が示されている。流体のための前支持構造２７の透過性は、随意に、本例の場合のように開口２８によってのみ可能にされ得る。
【０２３６】
開口２８（のすべてまたは多く）の直径は、好ましくは最大０．７ｍｍを備え、好ましくは０．５ｍｍ以下を備える。開口２８がスロットとして構成される場合、前の測定値または寸法がスロットの幅のために同様に適用される。
【０２３７】
図５ａは、（図５ｂ〜図５ｄの場合のように、図３中のそれの図に対して１８０°の横回転で示された）カセット本体２０１と、濾過膜９と、前支持構造２７と、ゴムマット３０１とを有する血液カセット２００の、本発明による例示的な実施形態の概略的に高度に簡略化された詳細を示す。ゴムマット３０１は、血液カセット２００が受容される、図５ａに示されていない、血液処置装置３００の一部である。
【０２３８】
濾過膜９は、溶接部分２０３に沿ってカセット本体２０１に溶接される。溶接部分２０３は円周方向に閉じられ得る。これは、図５ａでは、この図の切断図のために見られない。溶接部分２０３は、第１のリング領域３７として理解され得る。図２を参照されたい。
【０２３９】
前支持構造２７は、溶接部分２０３上に、少なくとも部分的にまたは断面で、第１の接触部分２７ａによって載置される、または溶接部分２０３に接触する。
【０２４０】
好ましくは、第１の接触部分２７ａは、方向Ｉのほうへ、すなわち、前支持構造２７または濾過膜９の中心部分のほうへ、溶接部分２０３を超えて延長または存在する。これは、図５ｄ中の拡大図でさらに図示および説明される。
【０２４１】
図５ａの例では、前支持構造２７は、濾過膜９の前支持構造２７がその上に載置される、または濾過膜９の前支持構造２７がそれによって濾過膜９に面する、前支持構造２７の側から、好ましくは突出または上昇する、バールまたは突出部２７ｂを随意に備える。
【０２４２】
バールまたは突出部２７ｂは、前支持構造２７のエッジ側上におよび／または中間エリア中に配置される。バールまたは突出部２７ｂは、スロットを通る気体交換または流れが可能にされるように、中間に前記スロットを備える。
【０２４３】
図５ａの例では、前支持構造２７は、濾過膜に面する前支持構造２７の側の反対にある、前支持構造２７の側から好ましくは突出する、１つまたは複数のバール、または突出部２７ｃを備える。
【０２４４】
図５ａにさらに示されているゴムマット３０１は、前支持構造２７のバール２７ｃを押圧する。
【０２４５】
バールまたは突出部２７ｃは、好ましくは、方向Ｄにおいて事前決定された程度まで突出する。方向Ｄは、濾過膜９の主延長平面に対して垂直であり、および／または前支持構造２７の主延長平面に対して垂直である。この程度は、端側２７ｃ’がゴムマット３０１に達するように事前決定され得る。この程度は、端側２７ｃ’がレベルＮに達するように事前決定され得、レベルＮにおいて、カセット本体２０１は、図５ａに示されていないフィルムで方向Ｄにおいてカバーされる。
【０２４６】
図５ａの例では、前支持構造２７は、第２の接触部分２７ｄを随意に備える。第２の接触部分２７ｄは、支持部分２０４上に載置される。支持部分２０４は、カセット本体２０１の突出部またはエッジとして構成され得る。
【０２４７】
支持部分２０４および／または第２の接触部分２７ｄは円周方向に閉じられ得る。これは、図５ｃでは、この図の切断図のために見られない。
【０２４８】
第１の接触部分２７ａは、方向Ｉに関して、第２の接触部分２７ｄよりもさらに内側に配設される。
【０２４９】
図５ｂは、カセット本体２０１と、濾過膜９と、前支持構造２７と、フランジングまたはフランジエッジ２０５とを有する、本発明によるさらなる例示的な実施形態における血液カセット２００の概略的に高度に簡略化された詳細を再び示す。フランジエッジ２０５は、カセット本体２０１における前支持構造２７の締め付けと、特に、第１の接触部分２７ａと溶接部分２０３との間を押圧することとを受け持つ。
【０２５０】
図５ｃは、カセット本体２０１と、濾過膜９と、前支持構造２７と、前支持構造２７の第２の接触部分２７ｄとカセット本体２０１の支持部分２０４との間の溶接接続部とを有する、本発明によるさらなる例示的な実施形態における血液カセット２００の概略的に高度に簡略化された詳細を再び示す。
【０２５１】
第２の接触部分２７ｄと支持部分２０４との間の溶接接続部は円周方向に閉じられ得る。これは、図５ｃでは、この図の切断図のために見られない。
【０２５２】
図５ｄは、第１の接触部分２７ａが、溶接部分２０３および溶接シーム２０３ａの一部に接触するまたは接し、その溶接シーム２０３ａによって、第１の接触部分２７ａが、溶接部分２０３に接触するまたは接続されることを、拡大図で示す。
【０２５３】
また、第１の接触部分２７ａが、本明細書では例示的に正確に１つの方向Ｉにおいて、溶接部分２０３を超えて延長または存在する部分２０３ｂを備えることが見られる。溶接部分２０３は、図５ａ〜図５ｃにすでに示されている随意の特徴である。
【０２５４】
一方での前支持構造２７のバールまたは突出部２７ｂと、他方での濾過膜９との間の自由空間は、０．５ｍｍ、好ましくは０．３ｍｍを超えるべきではない。この空間は、両矢印によって図５ｄに示されている。その空間が上記で示されているよりも大きい場合、濾過膜９は、前支持構造２７のバールまたは突出部２７ｂ上にあるようになる前に、あまりに強く曲げられ得る。それの結果は、望ましくない高い機械的応力であり得る。
【０２５５】
図６ａ〜図６ｃは、本発明による血液カセット２００の多様な実施形態におけるカセット本体２０１と前支持構造２７の両方の断面図を示す。
【０２５６】
濾過膜９は図６ａ〜図６ｃに示されておらず、そのため、溶接部分２０３も、これらの図では、溶接された状態で示され得ない。
【０２５７】
第２の接触部分２７ｄは、図６ａでは、閉じられた表面として具現され、その平面は、図示されていない濾過膜９の主延長平面に対して、または図５ａに示されている例の場合のように、前支持構造２７の主延長平面に対して、平行であるまたは平行に延長する。
【０２５８】
内側および／または外側が第２の接触部分２７ｄの閉じられた表面に対して垂直であり得る、好ましくは同様に閉じられたカラーまたはエッジ２７ｅは、内側（図６ａでは左、矢印Ｉ参照）上で突出または上昇する。エッジ２７ｅは、前支持構造２７をカセット本体２０１に挿入するときのセンタリング補助と考えられ得る。エッジ２７ｅは、前支持構造２７がカセット本体２０１に溶接されている間、前支持構造２７を保持するときに役立ち得る。
【０２５９】
図６ａ中のエッジ２７ｅは第２の接触部分２７ｄの内側上に載置されるが、代替的に、エッジ２７ｅを第２の接触部分２７ｄの外側上に設けることも、本発明によって意図される。
【０２６０】
図６ｂでは、第２の接触部分２７ｄと突出エッジ２７ｅとは互いに合体し、第２の接触部分２７ｄは、突出エッジ２７ｅの端部分と考えられ得る。
【０２６１】
図６ｃでは、図６ｃ中の横断面図に示されている第２の接触部分２７ｄおよびカセット本体２０１の支持部分２０４は、平坦ではなく、湾曲している、三角形である、または多角形である。これは、センタリング効果を支援し得る。その上、エリアまたは表面は、（他の事情が同じならば）有利に上昇するまたは高くなり、前記エリアは、接触部分２７ｄと支持部分２０４との間の接触部のために、たとえば溶接部のために、利用可能である。上述の利点は、第２の接触部分２７ｄまたはカセット本体の支持部分２０４の、両方ではなく一方のみが、上記で説明されたように形成されるときにも、達成され得る。それの例は、以下の図に見つかる。
【０２６２】
図７ａ〜図７ｄは、本発明による、血液カセット２００の第２の接触部分２７ｄと支持部分２０４との異なる実施形態を示す。
【０２６３】
図７ａおよび図７ｂは、図６ｃによる実施形態に対応するかまたは似ている実施形態を示す。
【０２６４】
図７ｃは、図６ａによる実施形態に対応するかまたは似ている実施形態を示す。
【０２６５】
図７ｄは、図６ｂによる実施形態と図６ｃによる実施形態との組合せに対応する実施形態を示す。
【０２６６】
したがって、図７ｂおよび図７ｃは、溶接中の収縮に照らして特に好適である実施形態を示す。
【０２６７】
図８は、支持構造２７の代わりにまたはそれに加えて設けられる第２の濾過膜１０を示す。
【０２６８】
本発明によるいくつかの例示的な実施形態では、より良い区別のために第１の濾過膜と呼ばれることもある、濾過膜９は、濾過膜９がそれによって第２の濾過膜１０に接続される、溶接部分または溶接部９ｃを備える。
【０２６９】
第２の濾過膜１０は、濾過処理に寄与する特徴に関して濾過膜９のように構成され得る。これは、随意であり、すなわち、必ずしも必要とされるとは限らない。
【０２７０】
図９は、図８のように、前支持構造２７の代わりにまたはそれに加えて設けられる第２の濾過膜１０を示す。
【０２７１】
濾過膜９と第２の濾過膜１０の両方は、それぞれ担体フリース９ｄまたは１０ｄと、それぞれテフロン層またはコーティング９ｅもしくは１０ｅとに分割される、またはそれらを各々備える。
【０２７２】
それにより、濾過膜９および第２の濾過膜１０は、それぞれ、それらの担体フリース９ｄおよび１０ｄが互いに面するように、配置される。テフロン層９ｅおよび１０ｅは、それぞれ他の濾過膜１０または９から離れるほうに面する、それぞれ担体フリース９ｄまたは１０ｄの側上に載置される。言い換えれば、テフロン層９ｅまたは１０ｅは、したがって、それぞれ「外側」のほうに向く。
【０２７３】
図８から両方とも知られる、第２の濾過膜１０との濾過膜９の溶接部９ｃおよび溶接部分２０３に加えて、さらなる２つの随意の溶接部分９ｆおよび１０ｆが図１０に示されている。
【０２７４】
溶接シーム部分９ｆは、溶接によって担体フリース９ｄをテフロン層９ｅに接続する。溶接シーム部分１０ｆは、溶接によって担体フリース１０ｄをテフロン層１０ｅに接続する。
【０２７５】
溶接シーム部分９ｆは、溶接シーム部分１０ｆのように、閉じられた様式で設けられ得る。
【０２７６】
テフロン層９ｅまたは１０ｅは、各々、ＰＴＦＥ（ポリテトラフルオロエチレン）またはｅＰＴＦＥ（延伸ポリテトラフルオロエチレン）から作られる、またはそれを備え得る。
【０２７７】
図１０は、前支持構造２７のさらなる実施形態を示す。この前支持構造２７は、溶接部分２０３に面するそれのエリア中に、輪郭付けされた構造２９を備える。輪郭部２９は、垂直にまたはほぼ垂直に、支持構造２７の内部に向けられ得る、または隆起した輪郭間にチャネルが形成されるように延長し得る。そのような輪郭部２９（一方の側上の隆起した構造と他方上のチャネルとの組合せ）は、濾過膜を前支持構造２７にまたはそれ上に留めるために構造を溶融するとき、材料が、濾過膜の中央エリアに浸透しない、またはごくわずかに浸透するが、大部分はチャネルエリア中にもしくはそれ内に拡散または延長することを実現し得る。
【０２７８】
これは、図１１に概略的に示され、ここで、隆起した構造（図１０の影付きエリア）の材料はチャネルのエリア中にまたはそれ内に延長する。前支持構造２７の図１１の実施形態はまた、少なくとも、図１０の前支持構造２７の隆起した部の部分溶融によって、達成可能であり得る。それにより、輪郭部２９は、溶融された輪郭部２９ｂ中で少なくとも部分的に認識可能であり得る。前支持構造２７は、図１１の図から逸脱して、平行四辺形としても設計され得る。
【０２７９】
輪郭部２９は、前支持構造２７中に、閉じられた様式で設けられ得る。この前支持構造２７は、一体型として設計され得る、または１つの材料からなり得る。この実施形態は、追加のより柔らかい支持要素なしでも、光線または電子ビームによって滅菌される濾過膜を支持するのに好適であり得、したがって、濾過膜の層間剥離が回避され得ることが明白になった。
【０２８０】
以下の特徴は、図１１の実施形態に関して説明されるが、それらの特徴は、本発明によるすべての他の実施形態においても実現され得る。前支持構造２７は開口２８を備え得る。これらの開口２８は、バールまたは突出部２７ｂが、開口２８間に平坦に形成され得るように、凹部３０中に配置され得る。開口２８のエリアでは、前支持構造２７はまた、他のエリア中よりも薄く形成され得る。丸で囲まれたエリアにおける原理が、正面切断斜視図で図１１に示されている。したがって、前支持構造２７は、濾過膜に面する平坦なバールまたは突出部２７ｂに加えて、濾過膜から離れるほうに面する側上の輪郭部３１を備え得る。開口のエリア内の支持構造２７のより薄い設計は、気体がより容易に通過すること（より低い流れ抵抗）を可能にし得、追加の輪郭部３１は、より高い曲げ強さによってまたはそれの形態で、安定化を実現し得る。
【０２８１】
上記で説明された前支持構造２７および血液カセット本体のすべては、ポリプロピレンを備え得る、またはそれからなり得る。
【０２８２】
図１１ａは、図１１の拡大詳細図を示す。
【符号の説明】
【０２８３】
１  流体受容チャンバ
３  流体供給チャンバ
５  医療流体
７  流体レベル
９  濾過膜
９ａ  濾過膜の後側
９ｂ  濾過膜の前側
９ｃ  第２のフィルタ膜との溶接部
９ｄ  担体フリース
９ｅ  テフロン層またはコーティング
９ｆ  溶接シーム部分
１０  第２の濾過膜
１０ｄ  フリース担体
１０ｅ  テフロン層
１０ｆ  溶接シーム部分
１１  後支持構造
１１ａ  バールまたは突出部
１３  排液構造
１５  固定デバイス
１７  流体コネクタ
１９  第２の気体状流体
２１  下領域
２３  上領域
２５  密封接続部
２７  前支持構造
２７ａ  前支持構造の第１の接触部分
２７ｂ  バールまたは突出部
２７ｃ  バールまたは突出部
２７ｃ’  端側
２７ｄ  第２の接触部分
２７ｅ  エッジ、カラー
２８  開口
２９  輪郭部／輪郭付けされた構造
２９ｂ  溶融された輪郭部
３０  凹部
３１  輪郭部／輪郭付けされた構造
３３  弾性構造
３５  流体接続部
２００  医療デバイスの一例としての血液カセット
２０１  カセット本体またはカセット主本体、硬い部品
２０３  溶接部分
２０３ａ  溶接シーム
２０３ｂ  部分
２０４  支持部分
２０５  フランジングまたはフランジエッジ
２２９  カバー要素、フィルム
３００  血液処置装置
３０１  ゴムマット
Ｄ  方向
Ｉ  方向
Ｎ  レベル
【図１】
2019519283.tif 000003
【図２】
2019519283.tif 000004
【図３】
2019519283.tif 000005
【図４ａ】
2019519283.tif 000006
【図４ｂ】
2019519283.tif 000007
【図５ａ】
2019519283.tif 000008
【図５ｂ】
2019519283.tif 000009
【図５ｃ】
2019519283.tif 000010
【図５ｄ】
2019519283.tif 000011
【図６ａ】
2019519283.tif 000012
【図６ｂ】
2019519283.tif 000013
【図６ｃ】
2019519283.tif 000014
【図７ａ】
2019519283.tif 000015
【図７ｂ】
2019519283.tif 000016
【図７ｃ】
2019519283.tif 000017
【図７ｄ】
2019519283.tif 000018
【図８】
2019519283.tif 000019
【図９】
2019519283.tif 000020
【図１０】
2019519283.tif 000021
【図１１−１１ａ】
2019519283.tif 000022
【国際調査報告】
2019519283.tif 000023
2019519283.tif 000024
2019519283.tif 000025
2019519283.tif 000026